(57)【特許請求の範囲】
【請求項１】
密閉ユニット化された光学ユニットを有する読み取り装置において、
前記読み取り装置は前記光学ユニットを有する読み取り部と、前記読み取り部に原稿を搬送する自動搬送部とからなり、前記読み取り部は前記自動搬送部に対して着脱自在であるとともに、
前記読み取り部は前記光学ユニットと原稿読み取り位置よりも下流に配置された駆動系を持たない排紙ユニットと、筐体部ユニットと、に分割され、前記自動搬送部の装着を外した後、前記駆動系を持たない排紙ユニットを取り外すだけで、前記光学ユニットの前記筐体部ユニットからの取り外しを可能にする固定部にアクセス可能としたことを特徴とする読み取り装置。
【請求項２】
請求項１記載の読み取り装置において、
コンタクトガラス上面が通紙パスに対し最適な位置になるよう光学ユニットの高さ調整を行う高さ調整手段を備えたことを特徴とする読み取り装置。
【請求項３】
請求項２記載の読み取り装置において、
前記高さ調整手段が、
コンタクトガラスの高さ位置を決めるための上下方向摺動可能なブラケットと、
該ブラケットを介し光学ユニットを上方向に加勢するスプリングと、を有することを特徴とする読み取り装置。
【請求項４】
請求項３記載の読み取り装置において、
前記高さ調整手段が、光学ユニットの脱着に際し、調整した高さを保持する高さ保持手段をさらに有することを特徴とする読み取り装置。
【請求項５】
請求項２記載の読み取り装置において、
前記高さ調整手段が、排紙ガイド部のみを取り外した状態で光学ユニットの高さ出しができ、かつ光学ユニットの脱着ができることを特徴とする読み取り装置。
【請求項６】
請求項２記載の読み取り装置において、
前記高さ調整手段が、光学ユニットを本体に挿入する際のガイド形状を有することを特徴とする読み取り装置。
【発明の詳細な説明】
【０００１】
【発明の属する技術分野】
本発明は、ＣＣＤ縮小光学系を用いた読み取り装置に関する。
【０００２】
【従来の技術】
従来のＣＣＤ縮小光学系を用いた画像読み取り装置においては、光路上に付着したゴミにより異常画像が発生することが多く、読み取り精度（分解能）を向上させるとそれに従って微小なゴミに対する感度も高まるという問題がある。そこで、ディジタル機の場合は、画像処理によるゴミ検知機能を設けることが考えられるが、画像処理による方法によってもゴミと画データとの判別を完全に行うことは難しい。この厄介なゴミの発生原因は次のように考えられる。すなわち、ＣＣＤ縮小光学系においては、マシン外形を小形化するためにミラーを複数枚用い光路を折り返した構造が採用されており、ゴミによる異常画像は、その多くが前記ミラーおよびコンタクトガラスの汚れにより発生する。読み取り用ガラス（コンタクトガラス）上では、搬送されてきた原稿が摺動することによって静電気が生じ、これにより大気中のゴミを引き寄せ、あるいは前記原稿の紙粉が残留して、異常画像の原因となる。また、複数枚のミラーについては、大気中のゴミが鏡面に付着して白濁することにより、反射率の低下等を招いて異常画像の原因となる。そこで、光路上のゴミに対しては、ＣＣＤ縮小光学系のユニット化等により光路を密閉して外部からゴミが入らないようにし、そのゴミがＣＣＤラインセンサ上で結像しないようにすることが極めて有効である。
【０００３】
そこで、特開平８−２９８５７３号公報に記載されている装置のように、縮小光学系をユニット化して外部からのゴミを防いでいる。
【０００４】
【発明が解決しようとする課題】
しかしながら、光学系をユニット化すると、部品点数が増加し、コンタクトガラスの高さが通紙パス（読み取り部前後の搬送ローラーをｒ１、ｒ２とすると、通常はｒ１―ｒ２ローラーの接線）に対しばらつくという問題点がある。通紙パスは、前後のローラーの位置関係によっても多少は位置が変わるが、画質においては重要なファクターである。例えば、通紙パスよりも常にコンタクトガラスが上位にあれば、原稿はコンタクトガラスで擦られることとなる。そこで擦られることによって原稿から紙粉が生じ、ゴミが発生しやすくなり、異常画像となる。また、その摺動により静電気が発生し、近くのセンサーにリークしマシンを破壊することもありえる。逆に通紙パスよりもコンタクトガラスが下方にある場合は、解像不良を招いたり、原稿のばたつきによる画像不良の原因ともなる。
【０００５】
また、光学ユニットの高さ決め手段は様々であるが、ｒ１，ｒ２ローラーの中心に対して行うことが最も部品公差積み上がりが少なく済む。ｒ１，ｒ２ローラーは、光学ユニットに対し上方に位置するため、光学ユニットを上方に持ち上げて固定する必要がある。その際、持ち上げながら位置決めを行うのは組立性が悪いという問題点がある。
【０００６】
さらに、光学ユニットは、電装品の不良およびミラー、レンズ類の清掃メンテナンスのために取り外すことが求められる。その度に高さ決め調整を行うのは非常に時間を要することとなる。
【０００７】
同じく、メンテナンス時にはできる限り取り外す部品を少なくすることが、メンテナンス性の向上である。
【０００８】
また、メンテナンスが必要となりユニットを取り外した際には、その後装着しなければならない。そのための操作性の向上が求められる。
【０００９】
そこで本発明は、上記問題点を解決する画像読み取り装置を提供することを課題とする。
【００１０】
【課題を解決するための手段】
請求項１記載の発明は、上記課題を解決するため、密閉ユニット化された光学ユニットを有する読み取り装置において、前記読み取り装置は前記光学ユニットを有する読み取り部と、前記読み取り部に原稿を搬送する自動搬送部とからなり、前記読み取り部は前記自動搬送部に対して着脱自在であるとともに、前記読み取り部は前記光学ユニットと原稿読み取り位置よりも下流に配置された駆動系を持たない排紙ユニットと、筐体部ユニットと、に分割され、前記自動搬送部の装着を外した後、前記駆動系を持たない排紙ユニットを取り外すだけで、前記光学ユニットの前記筐体部ユニットからの取り外しを可能にする固定部にアクセス可能としたことを特徴とするものである。
請求項２記載の発明は、上記課題を解決するため、請求項１記載の読み取り装置において、コンタクトガラス上面が通紙パスに対し最適な位置になるよう光学ユニットの高さ調整を行う高さ調整手段を備えたことを特徴とするものである。
【００１１】
請求項３記載の発明は、上記課題を解決するため、請求項２記載の読み取り装置において、前記高さ調整手段が、コンタクトガラスの高さ位置を決めるための上下方向摺動可能なブラケットと、該ブラケットを介し光学ユニットを上方向に加勢するスプリングと、を有することを特徴とするものである。
【００１２】
請求項４記載の発明は、上記課題を解決するため、請求項３記載の読み取り装置において、前記高さ調整手段が、光学ユニットの脱着に際し、調整した高さを保持する高さ保持手段をさらに有することを特徴とするものである。
【００１３】
請求項５記載の発明は、上記課題を解決するため、請求項２記載の読み取り装置において、前記高さ調整手段が、排紙ガイド部のみを取り外した状態で光学ユニットの高さ出しができ、かつ光学ユニットの脱着ができることを特徴とするものである。
【００１４】
請求項６記載の発明は、上記課題を解決するため、請求項２記載の読み取り装置において、前記高さ調整手段が、光学ユニットを本体に挿入する際のガイド形状を有することを特徴とするものである。
【００１５】
【発明の実施の形態】
以下、本発明の実施の形態について添付図面を参照しつつ説明する。
【００１６】
図１は、本実施形態の画像読み取り装置を示す。本実施形態の画像読み取り装置は、読み取り部２１（＝ＣＣＤを用いた縮小光学系読み取り部）と、その読み取り部２１に原稿Ｐを搬送する自動搬送部１９と、からなる。この読み取り部２１は、全光路を密閉するようにユニット化された光学ユニット７と、原稿読み取り位置よりも下流に配置された排紙従動ローラー６ａを含む排紙下部ユニット１７と、装置本体の筐体部ユニット１８（＝装置本体ユニット）と、に分割され、各々のユニットが着脱自在に構成されている。すなわち、図２に示すように、読み取り部２１は自動搬送部１９に対して着脱自在であり、自動搬送部１９を覆う合成樹脂製のカバー２１ａ，２１ｂを読み取り部２１の筐体にビス止めすることによって、自動搬送部１９を装着する。
【００１７】
図３に、本発明の詳細部を示す。図中Ｘは通紙パスとコンタクトガラスの距離を示す。本発明は、この距離を管理できるよう調整することにある。光学ユニット７は、先端の爪がベースに挿入され矢印Ｆの方向に回転可能となる。光学ユニット７を支える（光学ユニット７を固定する）ブラケット３４は光学ベースに具備され、上下方向に移動可能である。Ｘ寸法を出した後に、図示Ｄにてブラケット３４と光学ベースを固定し、図示Ｅにて光学ユニット７とブラケット３４を固定する。
【００１８】
また、図４に示すように、光学ユニット７（図４Ｂ）、排紙下部ユニット１７（図４（ａ））および筐体部ユニット１８（図４Ｃ）は３分割されてそれぞれユニット化されており、光学ユニット７には、読み取り対象の原稿をセットするためのコンタクトガラス９、光源８の照射による原稿からの反射光をレンズ１０に導くためのミラー１１，１２、光源８の照射による原稿からの反射光を画像として読み取る際にシェーディング補正を行うためのシェーディング板１５、光源８の照射による原稿からの反射光を１ライン毎に画像として結像するＣＣＤセンサ基板１４、コンタクトガラス９上の原稿Ｐを照射するための光源（キセノン管）８、光源８の照射による原稿からの反射光を集光するレンズ１０およびレンズブロック１３、前述の各光学系部品を搭載した底板（ベース）１６、等を収容し、これらの部材で形成された光路を光学ユニット７単独で外部から遮断するように密閉されている。なお、光学ユニット７には、スキャナモータ等の駆動系は含まず、筐体部ユニット１８に対し着脱自在に構成されている。また、排紙下部ユニット１７は、自動搬送部１９の第２搬送路Ｒ２下部に配置された搬送従動ローラー５ａおよび排紙従動ローラー６ａを含み、駆動モータ等の駆動系を含まないので、自動搬送部１９および光学ユニット７からの取り外しが容易であって、筐体部ユニット１８に対し着脱自在に構成されている。また、筐体部ユニット１８には、自動搬送部１９の第１搬送路Ｒ１下部に配置された搬送従動ローラー４ａを含み、光学ユニット７および排紙下部ユニット１７に対し着脱自在に構成されている。
【００１９】
図３に示すように、ブラケット３４と光学ベースの間にはスプリング３５があり、光学ユニット７を上方向に加勢する。ブラケット３４とスプリング３５は光学ベースに具備される。Ｄ固定を実施しない限り光学ユニット７を上方向へ加勢することとなる。この上方向へ加勢することでコンタクトガラス上面と搬送ローラー４，５間にスペーサー冶具等でＸを確保した際に光学ユニット７はフリーで上下位置が決定する。
【００２０】
図５にＧ部詳細を記す。ブラケット３４はベースにあり、上下に移動可能である。光学ユニット７の高さ決めによってＤ固定（高さ保持手段）がされる。光学ユニット７の取り外しにはＥ固定の外しのみで可能であり、Ｄ固定を外さない限りＸ距離は変わらない。
【００２１】
また、図３に示すように、排紙ガイドを外すことによりＤ固定、Ｅ固定にアクセス可能となり、光学ユニット７を取り外すことが可能となる。
【００２２】
図４に示す光学ユニット７のガイドリブ３６は、ベース上の平面３８上を滑らせることでその先端の爪３１をベースの穴に挿入し、位置決めとなる。またベース上のガイドリブ３７によって光学ユニット７のガイドリブを規制し、導入の幅方向の規制を行う。
【００２３】
なお、図６は光学ユニット７の取り付けを示すもので、図１の光学ユニット７近傍を上からみたものである。図６において、Ａは光学調整後の光学ユニット７側面と筐体部ユニット１８との高さ方向の位置決め部（図１のＡ部を上方からみた断面図）を示す。ここでは、光学ユニット７側に設けられた爪３１を、筐体ユニット１８側に穿たれた位置決め穴に挿入することにより、高さ（上下）方向の位置決めを行う。また、Ｂは光学ユニット７の水平方向の位置決め部（図１のＢ部）を示す。ここでは、光学調整後の光学ユニット７底面に設けたピン形状のボス３２を筐体部ユニット１８のシャーシに設けた位置決め穴に挿入することにより水平方向（前後左右）の位置決めを行う。さらに、Ｃは光学ユニット７と排紙下部ユニット１８とのネジ止め部（図１には示さず）である。ここでは、光学ユニット７のＣＣＤセンサ基板１４近傍のユニット角部において、上部から筐体部ユニット１８のシャーシにネジ３３にてネジ止めする。なお、排紙下部ユニット１７については、排紙下部ユニット１７と筐体部ユニット１８のシャーシとをネジ止め固定する。このように読み取り部２１を分割してユニット化することにより、自動搬送部１９の装着を外した後、排紙下部ユニット１７を取り外すだけで、駆動系や他の外装カバーに接触することなく、密閉構造の光学ユニット７を露出させて筐体部ユニット１８から取り外すことができる。
【００２４】
【発明の効果】
本発明によれば、通紙パスに対してコンタクトガラスの高さを最適な位置に調整することができるので、最適な状態で原稿が通紙パスを通過でき、常に最適で安定した画像読み取りを行うことができる。
【００２５】
本発明によれば、光学ユニットの高さ決めのために、位置決め方向に加勢するスプリングを有しているので、調整時に加勢しながら組み立てる必要がなくより簡単に調整を行うことができる。
【００２６】
本発明によれば、光学ユニットの取り外しの際に調整した高さを保持するので、一度調整した高さ決めを狂わせることがなく、光学ユニットの取り外しの度に高さ調整をし直さずにすみ、より簡単に光学ユニットを脱着するメンテナンス性が向上する。
【００２７】
本発明によれば、排紙ガイドの取り外しのみで、高さ決め調整ができ、また光学ユニットの脱着ができるので、メンテナンス性および組立性に優れる。
【００２８】
本発明によれば、光学ユニットを本体の適切な場所にガイドする形状を有しているので、より簡単に、自然な装着を行うことができる。
【図面の簡単な説明】
【図１】本発明に係る画像読み取り装置の一実施例を示す構成図である。
【図２】一実施例の画像読み取り装置の読み取り部を示す構成図である。
【図３】本発明に係る画像読み取り装置の詳細部を示す構成図である。
【図４】一実施例の画像読み取り装置の分割方法を示す構成図である。
【図５】図４に示す画像読み取り装置の部分詳細図である。
【図６】一実施例の画像読み取り装置における光学ユニットの取り付け部を示す図である。
【符号の説明】
４  搬送ローラー
５  搬送ローラー
６  排紙ローラー
７  光学ユニット
８  光源
９  コンタクトガラス
１０  レンズ
１１，１２  ミラー
１３  レンズブロック
１４  ＣＣＤセンサ基板
１５  シェーディング板
１６  底板（ベース）
１７  排紙下部ユニット
１８  筐体部ユニット
１９  自動搬送部
２１  読み取り部
２１ａ，２１ｂ  カバー
３１  爪
３４  ブラケット
３５  スプリング
３６  ガイドリブ
３７  ガイドリブ
３８  ベース上の平面
【図１】
0003938260.tif 000002
【図２】
0003938260.tif 000003
【図３】
0003938260.tif 000004
【図４】
0003938260.tif 000005
【図５】
0003938260.tif 000006
【図６】
0003938260.tif 000007